(57)【特許請求の範囲】
【請求項１】
筒状の前軸と、弾性材料から形成され前記前軸の外周に設けられた筒状のグリップと、前記前軸の後端側に接続された筒状の後軸とを備えた筆記具において、
前記前軸の後端側には、前記グリップの後端と略面一に被押圧面が設けられ、
前記後軸の周壁前端側には、前記被押圧面と前記グリップの後端との両方に対し接触するように押圧面が設けられ、
前記前軸には、径方向外側へ突出する環状突起が設けられ、この環状突起の後端に前記被押圧面が形成され、前記グリップは、前記環状突起を含むようにして前記前軸の外周部を覆っており、
前記環状突起の外周部が、後方へ向かって徐々に拡径する傾斜面状に形成され、
前記グリップは、前記環状突起の傾斜面状の外周部に沿って後方へゆくのにつれて徐々に肉薄になっていることを特徴とする筆記具。
【請求項２】
前記前軸と前記後軸には、それぞれ雄ネジ部と雌ネジ部が設けられ、前記被押圧面と前記押圧面が、前記雄ネジ部と前記雌ネジ部の螺合接続により圧接されていることを特徴とする請求項１記載の筆記具。
【請求項３】
前記グリップの後端側が、二色成形により前記前軸に一体化されていることを特徴とする請求項１又は２記載の筆記具。
【発明の詳細な説明】
【技術分野】
【０００１】
本発明は、軸筒の外周に弾性材料からなるグリップを装着した筆記具に関するものである。
【背景技術】
【０００２】
従来、この種の発明には、例えば特許文献１に記載されるように、筒状の前軸と、前記前軸の外周に重ね合わせられた筒状の弾性把持部材と、前記前軸の後端側に螺合接続された筒状の後軸とを備え、前記後軸の周壁前端を、前記弾性把持部材の後端に当接させるようにした筆記具がある。
【先行技術文献】
【特許文献】
【０００３】
【特許文献１】特開２００５−１１１８７６号公報
【発明の概要】
【発明が解決しようとする課題】
【０００４】
ところで、上記従来技術によれば、図１８に示すように前軸１１１に対し後軸１１２を螺合し締め付けてゆくと、弾性把持部材１１３が軸方向に押圧されて径方向外側へ膨出し、外観上の体裁を損ねてしまう場合がある。
【課題を解決するための手段】
【０００５】
本発明は、上記課題の少なくとも一部を解決するために、以下の構成を具備するものである。
筒状の前軸と、弾性材料から形成され前記前軸の外周に設けられた筒状のグリップと、前記前軸の後端側に接続された筒状の後軸とを備えた筆記具において、前記前軸の後端側には、前記グリップの後端と略面一に被押圧面が設けられ、前記後軸の周壁前端側には、前記被押圧面と前記グリップの後端との両方に対し接触するように押圧面が設けられ、前記前軸には、径方向外側へ突出する環状突起が設けられ、この環状突起の後端に前記被押圧面が形成され、前記グリップは、前記環状突起を含むようにして前記前軸の外周部を覆っており、前記環状突起の外周部が、後方へ向かって徐々に拡径する傾斜面状に形成され、前記グリップは、前記環状突起の傾斜面状の外周部に沿って後方へゆくのにつれて徐々に肉薄になっていることを特徴とする筆記具。
【発明の効果】
【０００６】
本発明は、以上説明したように構成されているので、グリップが径方向外側へ膨出するのを防ぐことができる。
【図面の簡単な説明】
【０００７】
【図１】本発明に係る筆記具の一例を示す側面図である。
【図２】図１における(II)-(II)線に沿う拡大断面図である。
【図３】同筆記具の後端面拡大図である。
【図４】同筆記具の縦断面図である。
【図５】同筆記具の要部拡大縦断面図である。
【図６】前軸と後軸の接続前の状態を示す要部拡大縦断面図である。
【図７】後軸の要部拡大縦断面図である。
【図８】後軸と頭冠の接続前の状態を示す要部拡大斜視図である。
【図９】後軸を図５の(VIII)-(VIII)線に沿う位置で切断した端面図である。
【図１０】（ａ）は第一及び第二の押子を斜め前方から視た斜視図であり、（ｂ）は同押子を斜め後方から視た斜視図である。
【図１１】第一の押子を示す拡大縦断面図である。
【図１２】軸筒側の被当接部に第一の押子側の当接部が当接した状態を示す拡大縦断面図である。
【図１３】第二の押子を示す拡大縦断面図である。
【図１４】軸筒側の被当接部に第二の押子側の当接部が当接した状態を示す拡大縦断面図である。
【図１５】前進した一つの押子とコイルスプリングの接続部分（偏心突起）を含むように切断した端面図である。
【図１６】コイルスプリングと押子の接続構造を示す縦断面図であり、（ａ）〜（ｃ）はそれぞれ異なる態様を示す。
【図１７】押子側の規制部と軸筒内部の傾斜面との関係を示す斜視図であり、軸筒は図５の(XVI)-(XVI)線に沿う位置で切断している。
【図１８】従来の筆記具の軸筒を示す要部拡大半断面図である。
【発明を実施するための形態】
【０００８】
本実施の形態では、以下の特徴を開示している。
第１の特徴は、筒状の前軸と、弾性材料から形成され前記前軸の外周に設けられた筒状のグリップと、前記前軸の後端側に接続された筒状の後軸とを備えた筆記具において、前記前軸の後端側には、前記グリップの後端と略面一に被押圧面が設けられ、前記後軸の周壁前端側には、前記被押圧面と前記グリップの後端との両方に対し接触するように押圧面が設けられている（図４及び図６参照）。
【０００９】
第２の特徴として、前記前軸と前記後軸には、それぞれ雄ネジ部と雌ネジ部が設けられ、前記被押圧面と前記押圧面が、前記雄ネジ部と前記雌ネジ部の螺合接続により圧接されている（図４及び図６参照）。
【００１０】
第３の特徴として、前記グリップの後端側が、二色成形により前記前軸に一体化されている。
【００１１】
第４の特徴として、前記前軸には、径方向外側へ突出する環状突起が設けられ、この環状突起の後端に前記被押圧面が形成され、前記グリップは、前記環状突起を含むようにして前記前軸の外周部を覆っている（図４及び図６参照）。
【００１２】
第５の特徴は、前記環状突起の外周部を、後方へ向かって徐々に拡径する傾斜面状に形成し、前記グリップを、前記環状突起の傾斜面状の外周部に沿って後方へゆくのにつれて徐々に肉薄にした（図６参照）。
【００１３】
＜具体的実施態様＞
次に、上記特徴を有する具体的な実施態様について、図面に基づいて詳細に説明する。
本明細書中、軸筒軸方向とは軸筒の中心線が延設される方向を意味し、軸筒周方向とは軸筒の外周を回る方向を意味する。また、「前」とは、軸筒軸方向の一方側であって筆記部が突出する方向を意味し、「後」とは、前記一方側に対する逆方向側を意味する。
また、軸筒径方向とは軸筒の中心線に直交する軸筒の直径方向を意味し、軸筒径方向外側とは軸筒径方向に沿って軸筒中心から離れる方向を意味し、軸筒径方向内側とは軸筒径方向に沿って軸筒中心に向かう方向を意味する。
【００１４】
この筆記具Ａは、前端側にグリップ２０を有する軸筒１０と、軸筒１０の後端に嵌合された頭冠３０と、軸筒１０の周壁に径方向へ挿通されるとともに該周壁に沿って前後方向へスライド可能な第一の押子４０及び第二の押子５０と、軸筒１０内で第一の押子４０及び第二の押子５０にそれぞれ接続された複数の筆記芯６１，６２と、軸筒１０に対し第一の押子４０及び第二の押子５０をそれぞれ後方へ付勢するコイルスプリング６３，６４と、これら複数の筆記芯６１，６２を貫挿し支持する筆記芯支持部材７０とを備え、第一の押子４０及び第二の押子５０を選択的に前進させる操作により、該押子に対応する筆記芯６１（又は６２）がその前端側の筆記部を軸筒１０の前端部から突出させる。
【００１５】
軸筒１０は、略円筒状の前軸１１と、この前軸１１の後端側に螺合接続されて後方へ延設された後軸１２とから構成される。
【００１６】
前軸１１は、硬質合成樹脂材料から略円筒状に形成され、その前端側に、先口部１１ａを有する。先口部１１ａは、前端を開口した先細筒状に形成される。
【００１７】
図示例によれば、この先口部１１ａの外周部には、装飾等のためのカバー部材１１ｂが装着される。このカバー部材１１ｂは、先口部１１ａに沿う先細筒状に形成され、先口部１１ａの外周部に嵌合等により接続される。なお、他例としては、このカバー部材１１ｂを省くことも可能である。
【００１８】
また、前軸１１における先口部１１ａよりも後側には環状凸部１１ｅが設けられ、この環状凸部１１ｅよりも後側に、グリップ２０を装着するためのグリップ装着部１１ｃが略円筒状に設けられる。
そして、グリップ装着部１１ｃの後端側には、径方向外側へ突出する環状突起１１ｃ１が設けられる。
【００１９】
環状突起１１ｃ１は、その外周部が、後方へ向かって徐々に拡径する傾斜面状に形成される。この環状突起１１ｃ１の後端は、後軸１２の前端部に当接する被押圧面１１ｃ２として機能する。
【００２０】
被押圧面１１ｃ２は、軸筒中心線に対し略直交する環状の面であり、グリップ２０の後端と略面一になるように形成される。
【００２１】
そして、前軸１１における被押圧面１１ｃ２よりも後側には、後軸１２に螺合接続するための雄ネジ部１１ｄが設けられる。
【００２２】
また、グリップ２０は、弾性材料から略円筒状に形成され、環状突起１１ｃ１を含むようにして前軸１１の外周のグリップ装着部１１ｃ全体を覆っている。
このグリップ２０は、二色成形によって、前軸１１の外周部に対し、軸方向にわたって一体化されている。
なお、他例としては、弾性材料からなる別体のグリップ２０を前軸１１の外周部に重ね合わせるようにして嵌合した構成とすることも可能である。
【００２３】
グリップ２０の後端側は、環状突起１１ｃ１の傾斜面状の外周部に沿って後方へゆくにしたがって徐々に肉薄になっている。
【００２４】
後軸１２は、硬質合成樹脂材料から、後端側にクリップ部１２ｂを有する略円筒状に成形される。この後軸１２は、前端側の内周面の雌ネジ部１２ａを、前軸１１後端側の雄ネジ部１１ｄに螺合するようにして、前軸１１の後方側に同軸状に接続される。
【００２５】
後軸１２の周壁の前端側には、前軸１１側の被押圧面１１ｃ２とグリップ２０の後端との両方に対し接触する押圧面１２ｃが設けられる。この押圧面１２ｃは、図示例によれば、円筒状の後軸１２の前端部であり、軸筒中心線に対し略直交する環状の面である。
前軸１１側の被押圧面１１ｃ２と、後軸１２側の押圧面１２ｃとは、前軸１１側の雄ネジ部１１ｄに対する後軸１２側の雌ネジ部１２ａの締め付けにより、圧接される。
【００２６】
後軸１２の前端部の外径は、グリップ２０の後端部の外径と略同径である。すなわち、後軸１２の外周面とグリップ２０の外周面は、前後方向において略面一である。
【００２７】
後軸１２の周壁には、第一の押子４０と第二の押子５０を径方向に挿通するとともに前後方向へ導くガイド孔１２ｄ，１２ｅが設けられる。
【００２８】
一方のガイド孔１２ｄは、第一の押子４０に対応して複数（図示例によれば二つ）設けられる。各ガイド孔１２ｄは、前後方向へわたる長孔状に形成される。
このガイド孔１２ｄの内縁には、前後方向へわたるガイド面（図示せず）と、このガイド面の前端側で軸筒径方向内側へ凹んだ係止部（図示せず）とが設けられる。第一の押子４０は、前記ガイド面に沿って前方へ移動し、軸筒径方向内側へ沈み込むようにして前記係止部に係止される。
【００２９】
他方のガイド孔１２ｅは、第二の押子５０に対応して単数設けられる。このガイド孔１２ｅは、軸筒１０の周壁を前後方向にわたる長尺状に貫通しており、その周壁における径方向外側の部分を、第二の押子５０の操作部５２を嵌め合わせるように、幅広に形成している（図２参照）。
【００３０】
後軸１２内の後端側には、後退した際の第一の押子４０又は第二の押子５０によって当接される被当接部１２ｈ（図１２及び図１４参照）が設けられる。
この被当接部１２ｈは、軸筒中心線に略直交する面である。
【００３１】
後軸１２の周壁の後端側には、ガイド孔１２ｅの後端側に連通するとともに後方へ開口するように切欠部１２ｅ１が設けられる（図８参照）。この切欠部１２ｅ１には、第二の押子５０の操作部５２が嵌り合う。
【００３２】
また、ガイド孔１２ｅ内には、軸筒周方向の両側にそれぞれ位置するように、前後方向へわたる二つのガイド片部１２ｆが設けられる（図７〜図８参照）。
【００３３】
各ガイド片部１２ｆは、軸筒径方向外側に前後方向へわたるガイド面１２ｆ１を有し、このガイド面１２ｆ１の前端側に、軸筒径方向内側へ凹んだ係止部１２ｆ２を有する（図７参照）。第二の押子５０は、ガイド面１２ｆ１に沿って前方へ移動し、軸筒径方向内側へ沈み込むようにして係止部１２ｆ２に係止される。
【００３４】
また、各ガイド片部１２ｆは、軸筒１０内にて径内方向を向く内面を、前後方向へ延設しており、その内面の後端側に、後方斜め径内方向へ向かう傾斜面１２ｆ３を有する（図７参照）。この傾斜面１２ｆ３は、第二の押子５０の軸筒内進退部５１を間に置くようにして、その両側に二つ設けられる（図１７参照）。
【００３５】
この傾斜面１２ｆ３は、後退位置にある第二の押子５０における軸筒内進退部５１の規制部５１ｇに対し後方側から近接又は接触する（図５参照）。
このため、第二の押子５０の後端側が軸筒径外方向へ撓んで、第二の押子５０の操作部５２の後端部と頭冠３０との間の隙間ｓ１（図３参照）が拡大するのを阻むことができる。
【００３６】
また、後軸１２の後端部には、後方を開口した凹状部１２ｇが設けられ、この凹状部１２ｇに、頭冠３０が嵌め合わせられている（図８参照）。
【００３７】
凹状部１２ｇは、軸筒中心線に交差する底部１２ｇ１と、底部１２ｇ１の周縁側から後方へ突出する周縁側壁部１２ｇ２と、底部１２ｇ１から後方へ突出した突片部１２ｇ３とを有する。
【００３８】
周縁側壁部１２ｇ２は、その周方向の一部分に、上述した切欠部１２ｅ１を有する。また、周縁側壁部１２ｇ２の内壁面には、軸筒径方向内側へ突出する被嵌合突起１２ｇ４が設けられる（図８参照）。
【００３９】
切欠部１２ｅ１には、第二の押子５０の操作部５２が嵌り合う。
詳細に説明すれば、当該筆記具Ａは、後方から視て楕円状に構成され、その楕円における長軸方向の一端側に、切欠部１２ｅ１を配置し、この切欠部１２ｅ１に操作部５２を嵌め合わせている。
【００４０】
突片部１２ｇ３は、切欠部１２ｅ１の近傍において切欠部１２ｅ１よりも軸筒内部空間側に位置する。この突片部１２ｇ３は、底部１２ｇ１から後方へ突出するとともに、周縁側壁部１２ｇ２の内面に対し略直交する方向へ板状に延設され、その延設方向の両端部各々と周縁側壁部１２ｇ２の内面との間に隙間ｓ２を有する（図８及び図９参照）。
【００４１】
被嵌合突起１２ｇ４は、略半楕円状の周縁側壁部１２ｇ２における短軸方向の一端側と他端側にそれぞれ設けられる（図８参照）。
各被嵌合突起１２ｇ４は、頭冠３０の乗り越え嵌合突起３２ａを乗り越え嵌合可能な山形に形成される。
【００４２】
頭冠３０は、凹状部１２ｇの開口縁を塞ぐ後端板部３１と、後端板部３１の内面から凹状部１２ｇ側へ突出して周縁側壁部１２ｇ２及び突片部１２ｇ３の軸筒径方向内側に嵌り合う嵌合部３２と、突片部１２ｇ３の軸筒径方向外側で切欠部１２ｅ１を塞ぐ閉塞片部３３とを一体に有する（図５参照）。
【００４３】
嵌合部３２は、周縁側壁部１２ｇ２及び突片部１２ｇ３の内側面に嵌り合う筒状に形成される（図５参照）。この嵌合部３２の外側面には、周縁側壁部１２ｇ２の両側の被嵌合突起１２ｇ４に対し、軸筒前方へ乗り超えるようにして嵌り合う乗り越え嵌合突起３２ａ（図８参照）が設けられる。
【００４４】
また、第一の押子４０及び第二の押子５０は、軸筒１０後端側において、周方向に間隔をおいて複数設けられる。図示例によれば、第一の押子４０は二つ設けられ、第二の押子５０は単数設けられる。
【００４５】
第一の押子４０は、硬質合成樹脂材料からなる硬質部４０ａと、この硬質部４０ａよりも軟質な弾性樹脂材料からなる弾性部４０ｂとを二色成形によって形成してなり、軸筒１０内で筆記芯６１に接続される軸筒内進退部４１と、軸筒１０外に露出する操作部４２とを一体に具備している（図１０及び図１１参照）。
【００４６】
軸筒内進退部４１は、前後方向へわたる長尺棒状に形成され、後端側の当接部４１ｅ等を除く大部分が、硬質部４０ａにより形成される（図１１参照）。
この軸筒内進退部４１の前端側には、筆記芯６１に対し後方側から圧入接続される筆記芯接続部４１ａと、コイルスプリング６３に対し後方側から挿入されるコイル接続部４１ｂとが設けられる。
【００４７】
コイル接続部４１ｂは、略円柱軸状に形成され、その外周面に、周方向において部分的に軸筒径方向外側へ突出する偏心突起４１ｂ１を有し、さらに、この偏心突起４１ｂ１よりも後側にコイルスプリング６３の後端部を受けるコイル受け部４１ｂ２を有する（図１０及び図１１参照）。
【００４８】
偏心突起４１ｂ１は、コイルスプリング６３の内周面に、周方向において部分的に圧接することで、コイルスプリング６３の後端側を、第一の押子４０の中心線に対し軸筒径方向外側へ偏心させる（図１５及び図１６（ａ）参照）。
【００４９】
コイル受け部４１ｂ２は、軸筒径方向の外側部分４１ｂ２１が、同径方向の内側部分４１ｂ２２よりも後方に位置する段状に形成され、この段状の面を、コイルスプリング６３の後端部に当接させることで、コイルスプリング６３の前側を軸筒径方向外側へ傾斜させる（図１６（ａ）参照）。
【００５０】
なお、コイル受け部４１ｂ２の他例としては、図１６（ｂ）に示すコイル受け部４１ｂ２’や、図１６（ｃ）に示すコイル受け部４１ｂ２”のように、少なくともその受け面の一部を、後方斜め径方向外側へ向かう傾斜面状に形成してもよい。
【００５１】
詳細に説明すれば、前記他例のコイル受け部４１ｂ２’は、径方向の外側寄りに、軸筒径方向外側へ向かう部分的な傾斜面を有する（図１６（ｂ）参照）。
さらに、他の一例であるコイル受け部４１ｂ２”は、径方向の全域にわたって後方斜め軸筒径方向外側へ向かう傾斜面を有する（図１６（ｃ）参照）。
これらコイル受け部４１ｂ２’，４１ｂ”によれば、何れも、コイルスプリング６３の前側を軸筒径方向外側へ傾斜させて、他のコイルスプリングに干渉するのを軽減することができる。
【００５２】
また、軸筒内進退部４１の後部側には、軸筒径方向内側へ突出する二つの係合突起４１ｃ，４１ｄが、前後方向に間隔を置いて設けられる（図１０及び図１１参照）。
前側の係合突起４１ｃは、先に他の押子が前進して掛止されている場合に、この押子の後側の係合突起に当接して、その掛止状態を解除する。
後側の係合突起４１ｄは、当該第一の押子４０が先に前進して掛止されており、その掛止状態を解除する場合、後から前進する押子の前側の係合突起に当接される。
【００５３】
また、軸筒内進退部４１の最後端部には、軸筒１０内の被当接部１２ｈに当接するように、当接部４１ｅが後方向きに突設している（図１０及び図１２参照）。
この当接部４１ｅは、操作部４２を形成する弾性部４０ｂによって形成される。すなわち、操作部４２と当接部４１ｅは、弾性部４０ｂを構成する弾性材料により連続するように形成されている。
【００５４】
この当接部４１ｅの突端面は、図１２に示すように、被当接部１２ｈを構成する面に対し傾斜する傾斜面状に形成される。
この構成によれば、第一の押子４０を被当接部１２ｈに当接させる際、傾斜面状の当接部４１ｅが、徐々に被当接部１２ｈに圧接され変形するため、その際の衝撃（当接音や振動等）を効果的に軽減することができる。
なお、図１０中、符号４１ｆは、ガイド孔１２ｄ内のガイド面（図示せず）の前端側で軸筒径方向内側へ凹んだ係止部（図示せず）に対し掛止される掛止突起である。
【００５５】
また、操作部４２は、軸筒内進退部４１の後端側から軸筒径方向外側へ突出し、ガイド孔１２ｄに対し軸筒内側から挿通されて、軸筒外に露出する。この操作部４２は、軸筒外に露出する部分が弾性部４０ｂによって形成される（図１０及び図１１参照）。
【００５６】
弾性部４０ｂは、軸筒内進退部４１後端側の当接部４１ｅまで連続しており、第一の押子４０操作時の滑り止めとしての機能と、第一の押子４０後退時の緩衝材としての機能とを併せ持つ。
【００５７】
そして、上記構成の第一の押子４０は、硬質部４０ａを軸筒１０のガイド孔１２ｄ内面に摺接させて前後方向へスライドするとともに、この摺接箇所から弾性部４０ｂを離隔している。
詳細に説明すれば、図２の横断面に示すように、硬質部４０ａは、ガイド孔１２ｄの内面に対し近接又は摺接するように形成される。これに対し、弾性部４０ｂは、硬質部４０ａから段状に幅を狭めて、ガイド孔１２ｄの内面から離隔するように形成される。
この構成によれば、第一の押子４０を前後方向へスライドさせる際に、弾性部４０ｂが軸筒１０に摺接するのを阻んで、硬質部４０ａのみをガイド孔１２ｄ内面に摺接させることができる。このため、第一の押子４０のスライド動作性が良好である。
【００５８】
また、第二の押子５０は、硬質合成樹脂材料からなる硬質部５０ａと、この硬質部５０ａよりも軟質な弾性樹脂材料からなる弾性部５０ｂとを二色成形によって形成してなり、軸筒１０内で筆記芯６２に接続される軸筒内進退部５１と、軸筒１０外に露出する操作部５２とを一体に具備している（図１０、図１３及び図１４参照）。
この第二の押子５０は、操作部５２の後端部を、他の二つの第一の押子４０の操作部４２よりも後方側に配置している（図１参照）。
【００５９】
軸筒内進退部５１は、前後方向へわたる長尺棒状に形成され、当接部５１ｅ等を除く大部分が、硬質部５０ａにより形成される。
この軸筒内進退部５１は、第一の押子４０の軸筒内進退部４１と略同様にして、筆記芯６２に対し後方側から圧入接続される筆記芯接続部５１ａ、コイルスプリング６４に対し後方側から挿入されるコイル接続部５１ｂ、コイル接続部５１ｂの外周面から軸筒径方向外側へ部分的に突出する偏心突起５１ｂ１、偏心突起５１ｂ１よりも後側でコイルスプリング６４の後端部を受けるコイル受け部５１ｂ２、他の押子と係合させるための係合突起５１ｃ及び係合突起５１ｄ等を有する。
【００６０】
コイル受け部５１ｂ２は、先に説明したコイル受け部４１ｂ２と同様に、外側部分５１ｂ２１と内側部分５１ｂ２２を有する段状に形成される（図１６（ａ）参照）。このコイル受け部５１ｂ２も、図１６（ｂ）（ｃ）に示すコイル受け部５１ｂ２’，５１ｂ２”のように、傾斜面を有する態様に置換することが可能である。
【００６１】
軸筒内進退部５１の後端側には、前後方向に対し直交する幅方向の両側へ突出するように二つの規制部５１ｇ，５１ｇが設けられる（図１７参照）。これら二つの規制部５１ｇは、第二の押子５０が後退した状態で、軸筒内後端側の二つの傾斜面１２ｆ３にそれぞれ近接又は接触して、第二の押子５０の径方向外側への移動を規制する。
【００６２】
さらに、軸筒内進退部５１の後端側には、弾性部５０ｂからなる当接部５１ｅが後方向きに突設している。この当接部５１ｅは、第二の押子５０が後退した際に、軸筒１０内の被当接部１２ｈに当接する。この当接部５１ｅを形成する弾性材料は、操作部５２に連続している。
【００６３】
すなわち、この当接部５１ｅは、硬質部５０ａの中を通って操作部５２に連続しており、弾性部５０ｂによって操作部５２と一体に形成される（図１０及び図１３参照）。したがって、弾性部５０ｂは、第二の押子５０操作時の滑り止めとしての機能と、第二の押子５０後退時の緩衝材としての機能とを併せ持つ。
【００６４】
この当接部５１ｅの突端面は、図１４に示すように、被当接部１２ｈを構成する面に対し傾斜する傾斜面状に形成される。
この構成によれば、第二の押子５０を後退させた際、傾斜面状の当接部５１ｅが、徐々に被当接部１２ｈに圧接され変形するため、その際の衝撃（当接音及び振動等）を効果的に軽減することができる。
なお、図中、符号５１ｆは、ガイド孔１２ｅ内のガイド面１２ｆ１の前端側で軸筒径方向内側へ凹んだ係止部１２ｆ２に対し掛止される掛止突起である。
【００６５】
また、操作部５２は、軸筒内進退部５１の後端側から軸筒径方向外側へ突出して軸筒外に露出している。
この操作部５２は、軸筒外に露出する部分が弾性部５０ｂによって形成される。この弾性部５０ｂは、軸筒内進退部５１後端側の当接部５１ｅまで連続している（図１３参照）。
【００６６】
そして、第二の押子５０の操作部５２は、他の二つの第一の押子４０の操作部４２とは異なる形状に形成される（図１０参照）。
詳細に説明すれば、操作部５２は、軸筒周方向及び軸筒軸方向の寸法が、操作部４２よりも大きい。
さらに、操作部５２は、軸筒１０外周面から突出する寸法が、操作部４２よりも大きい（図２参照）。
【００６７】
この操作部５２は、後方へ延設され、その後端部を、軸筒１０の後端部と略面一に配置している。
ここで、前記「略面一」には、操作部５２の後端部が、製造上の誤差や寸法公差の範囲内で、軸筒１０の後端部よりも若干前側や後側に位置する場合を含む。
【００６８】
この操作部５２は、当該筆記具Ａの後端側の横断面略楕円状の輪郭を構成している。
すなわち、筆記具Ａの後端側は、図２及び図３に示すように横断面略楕円状に構成される。そして、この楕円における長軸の一端側に操作部５２が配設され、他端側にはクリップ部１２ｂが配設される。
【００６９】
軸筒１０内において、上記構成の第一の押子４０と第二の押子５０には、それぞれ、筆記芯６１と筆記芯６２が接続される。
これら筆記芯６１，６２は、インク収容管の前端側に筆記部であるボールペンチップを接続したボールペン用リフィールであり、例えば、異なる色のインクが充填される。
これら筆記芯６１，６２の他例としては、シャープペンシル用リフィールや、電子ペン用筆記芯等とすることも可能である。
【００７０】
本実施の形態の好ましい一例によれば、筆記芯６２は、当該筆記具Ａが具備する他の筆記芯６１よりも使用頻度が大きい。すなわち、筆記芯６２は、複数の筆記芯のうち、最も使用頻度が大きい。
なお、前記使用頻度は、複数種類の筆記芯について、多数の使用者に対する調査や実験等に基づき、統計的に求めた使用の頻度である。
【００７１】
コイルスプリング６３，６４は、それぞれ、第一の押子４０と第二の押子５０を軸筒１０に対し後方へ付勢するようにした圧縮コイルバネである。
【００７２】
一方のコイルスプリング６３は、筆記芯６１の後端側から第一の押子４０のコイル接続部４１ｂにわって環状に装着される。
このコイルスプリング６３は、後端側の内周面が偏心突起４１ｂ１に圧接され、後端部が段状のコイル受け部４１ｂ２に当接することで、後端側が第一の押子４０に対し径方向外側へ偏心して位置するとともに、前端側が径方向外側へ傾いている（図１６（ａ）参照）。
そして、このコイルスプリング６３の前端部は、後述する筆記芯支持部材７０に受けられる。
【００７３】
同様に、他方のコイルスプリング６４は、筆記芯６２の後端側から第二の押子５０のコイル接続部５１ｂにわって環状に装着され、後端側の内周面が偏心突起５１ｂ１に圧接され、後端部が段状のコイル受け部５１ｂ２に当接することで、後端側が径方向外側へ偏心して位置するとともに、前端側が径方向外側へ傾いている。このコイルスプリング６４の前端部も、後述する筆記芯支持部材７０に受けられる。
【００７４】
筆記芯支持部材７０は、軸筒１０の内周面に固定された略円柱状の部材である。
この筆記芯支持部材７０は、複数の筆記芯６１，６２をそれぞれ複数の貫通孔に挿通して、筆記芯間及びコイルスプリング間等の干渉を防ぐ。
【００７５】
＜作用効果＞
次に上記構成の筆記具Ａについて、その特徴的な作用効果を詳細に説明する。
筆記具Ａの製造作業や筆記芯交換作業等において、前軸１１に対し後軸１２を螺合し締め付けた際、前軸１１の被押圧面１１ｃ２に対し後軸１２の押圧面１２ｃが押し付けられるため、グリップ２０に軸方向の圧縮力が加わるのを軽減することができ、ひいては、グリップ２０が径方向外側へ膨出するのを防ぐことができる。
【００７６】
特に、本実施の形態の好ましい一例によれば、グリップ２０を二色成形により前軸１１に一体化しているため、前記した膨出抑制効果が、グリップ２０の後端側において顕著である。
【００７７】
しかも、前軸１１の後端側では、グリップ２０が傾斜面状の環状突起１１ｃ１を覆って薄肉になっているため、グリップ２０の膨出を効果的に防ぐことができる。
【００７８】
＜変形例＞
上記実施態様によれば、特に効果的な一例として、前軸１１に対しグリップ２０を一体的に成形したが、他例としては、前軸１１に対し別体のグリップ２０を嵌め合わせた構成とすることも可能である。
【００７９】
また、上記実施態様によれば、好ましい一例として、環状突起１１ｃ１を全周にわたって連続する環状に形成したが、この環状突起の他例としては、複数の突起が適宜な間隔を置いて環状に並んだ態様や、環状に連続する突起の一部分に切欠部を有する態様等とすることも可能である。
【００８０】
また、上記実施態様によれば、筆記具Ａを複数出没式筆記具として構成したが、上述した軸筒１０の膨出抑制効果は、単数の筆記芯を出没させる筆記具や、筆記芯が出没しない筆記具にも適用可能である。
【００８１】
本発明は上述した実施態様に限定されず、本発明の要旨を変更しない範囲で適宜変更可能である。
【符号の説明】
【００８２】
１０：軸筒
１１：前軸
１１ｃ１：環状突起
１１ｃ２：被押圧面
１１ｄ：雄ネジ部
１２：後軸
１２ａ：雌ネジ部
１２ｃ：押圧面
１２ｇ：凹状部
１２ｇ１：底部
１２ｇ２：周縁側壁部
１２ｇ３：突片部
１２ｇ４：被嵌合突起
１２ｅ１：切欠部
１２ｈ：被当接部
２０：グリップ
３０：頭冠
３２：嵌合部
３２ａ：乗り越え嵌合突起
４０：第一の押子
４０ａ：硬質部
４０ｂ：弾性部
５０：第二の押子
５０ａ：硬質部
５０ｂ：弾性部
４１，５１：軸筒内進退部
４１ｅ，５１ｅ：当接部
４１ｂ，５１ｂ：コイル接続部
４１ｂ１，５１ｂ１：偏心突起
４１ｂ２，５１ｂ２：コイル受け部
４２，５２：操作部
６１，６２：筆記芯
６３，６４：コイルスプリング
Ａ：筆記具
ｓ１，ｓ２：隙間
【要約】
【課題】  グリップが径方向外側へ膨出するのを防ぐ。
【解決手段】  筒状の前軸１１と、弾性材料から形成され前軸１１の外周に設けられた筒状のグリップ２０と、前軸１１の後端側に接続された筒状の後軸１２とを備えた筆記具において、前軸１１の後端側には、グリップ２０の後端と略面一に被押圧面１１ｃ２が設けられ、後軸１２の周壁前端側には、被押圧面１１ｃ２とグリップ２０の後端との両方に対し接触するように押圧面１２ｃが設けられている。
【選択図】  図６【図１】
0006917489.tif 000002
【図２】
0006917489.tif 000003
【図３】
0006917489.tif 000004
【図４】
0006917489.tif 000005
【図５】
0006917489.tif 000006
【図６】
0006917489.tif 000007
【図７】
0006917489.tif 000008
【図８】
0006917489.tif 000009
【図９】
0006917489.tif 000010
【図１０】
0006917489.tif 000011
【図１１】
0006917489.tif 000012
【図１２】
0006917489.tif 000013
【図１３】
0006917489.tif 000014
【図１４】
0006917489.tif 000015
【図１５】
0006917489.tif 000016
【図１６】
0006917489.tif 000017
【図１７】
0006917489.tif 000018
【図１８】
0006917489.tif 000019